(57)【要約】【課題】  無線通信システムにおいて、ランダムアクセスバーストを送信するランダムアクセスバースト送信方法及び装置を提供する。【解決手段】  移動局１は、ランダムアクセスバーストを送信する送信機３と、ランダムアクセスバーストが正しく伝送されたことを確認する肯定応答情報を受信する受信機４と、肯定応答情報が受信されたか否かを判定する判定器５と、ランダムアクセスバーストを送信しても肯定応答情報が受信されなかったとき、所定の時間間隔からランダムアクセスバーストを再送信する時刻をランダムに選択するコントローラ６とを備え、コントローラ６は、ランダムアクセスバーストが正しく伝送されなかった回数に応じて所定の時間間隔の長さを設定する。本発明では、ネットワーク側がランダムアクセスバーストの衝突を検出する必要なく、高性能かつ安定性のあるシステムを提供することができる。さらに、本発明では、ランダムアクセスバーストの伝送のための異なる優先順位クラスを定める。【選択図】  図１
2008148362.tif 000002
【特許請求の範囲】
【請求項１】
無線通信システムにおいて信号を送受信する送受信装置において、ランダムアクセスバーストを送信するランダムアクセスバースト送信方法において、
ランダムアクセスバーストを送信するステップと、
上記ランダムアクセスバーストが正しく伝送されたことを確認する肯定応答情報が受信されたか否かを判定するステップと、
上記肯定応答情報が受信されなかったとき、所定の時間間隔から上記ランダムアクセスバーストを再送信する時刻をランダムに選択するステップと、
上記ランダムアクセスバーストが正しく伝送されなかった回数を示す第１のパラメータと、該ランダムアクセスバーストに定められた異なる優先順位クラスを示す第２のパラメータを含む少なくとも２つのパラメータに応じて上記所定の時間間隔の長さを設定するステップとを有し、
上記第２のパラメータは、上記優先順位クラスが高いほど上記所定の時間間隔が短くなるように選択されることを特徴とするランダムアクセスバースト送信方法。
【請求項２】
無線通信システムにおいて信号を送受信する送受信装置において、ランダムアクセスバーストを送信するランダムアクセスバースト送信方法において、
ランダムアクセスバーストを送信するステップと、
上記ランダムアクセスバーストが正しく伝送されたことを確認する肯定応答情報が受信されたか否かを判定するステップと、
上記肯定応答情報が受信されなかったとき、所定の時間間隔から上記ランダムアクセスバーストを再送信する時刻をランダムに選択するステップと、
上記ランダムアクセスバーストが正しく伝送されなかった回数及び該ランダムアクセスバーストにそれぞれ予め設定された異なる優先順位クラスに応じて上記所定の時間間隔の長さを設定するステップとを有し、
上記所定の時間間隔は、上記優先順位クラスが高いほど短いことを特徴とするランダムアクセスバースト送信方法。
【請求項３】
無線通信システムにおいて信号を送受信する送受信装置において、ランダムアクセスバーストを送信するランダムアクセスバースト送信方法において、
ランダムアクセスバーストを送信するステップと、
上記ランダムアクセスバーストが正しく伝送されたことを確認する肯定応答情報が受信されたか否かを判定するステップと、
上記肯定応答情報が受信されなかったとき、所定の時間間隔から上記ランダムアクセスバーストを再送信する時刻をランダムに選択するステップと、
上記ランダムアクセスバーストが正しく伝送されなかった回数及び該ランダムアクセスバーストにそれぞれ予め設定された異なる優先順位クラスに応じて上記所定の時間間隔の長さを設定するステップとを有し、
上記優先順位クラスは、システムパラメータに基づいて変化し、上記所定の時間間隔は、上記優先順位クラスが高いほど短いことを特徴とするランダムアクセスバースト送信方法。
【請求項４】
無線通信システムにおいて信号を送受信する送受信装置において、ランダムアクセスバーストを送信するランダムアクセスバースト送信方法において、
ランダムアクセスバーストを送信するステップと、
上記ランダムアクセスバーストが正しく伝送されたことを確認する肯定応答情報が受信されたか否かを判定するステップと、
上記ランダムアクセスバーストを送信する時間間隔の長さを、優先順位クラスに応じて設定するステップと、
上記優先順位クラスに応じて設定された時間間隔の長さを、上記ランダムアクセスバーストが正しく伝送されなかった回数に応じて変更するステップと、
上記変更された時間間隔の長さから次のランダムアクセスバーストを再送信する時刻をランダムに選択するステップとを有するランダムアクセスバースト送信方法。
【請求項５】
無線通信システムにおいて信号を送受信する送受信装置において、ランダムアクセスバーストを送信するランダムアクセスバースト送信方法において、
所定の時間間隔からランダムに選択された時刻に、上記ランダムアクセスバーストを基地局に送信するステップと、
上記所定の時間間隔の長さを、優先順位クラス及び上記ランダムアクセスバーストが正しく伝送されなかった回数に関する２つの係数に基づいて変更するステップと、
上記変更された時間間隔の長さから次のランダムアクセスバーストを再送信する時刻をランダムに選択するステップとを有するランダムアクセスバースト送信方法。
【請求項６】
無線通信システムにおいて信号を送受信する送受信装置において、ランダムアクセスバーストを送信するランダムアクセスバースト送信方法において、
所定の時間間隔から時刻をランダムに選択することによって、該時刻にランダムアクセスバーストを送信するステップと、
上記ランダムアクセスバーストが正しく伝送されたか否かを判定するステップと、
上記ランダムアクセスバーストが正しく伝送されなかった回数に応じて変化する優先順位クラスを示すパラメータを含む、上記所定の時間間隔の長さを決定する式を用いて、該所定の時間間隔の長さを制御するステップと、
上記決定された所定の時間間隔の長さから次のランダムアクセスバーストを再送信する時刻をランダムに選択するステップとを有するランダムアクセスバースト送信方法。
【請求項７】
無線通信システムにおいて信号を送受信する送受信装置において、ランダムアクセスバーストを送信するランダムアクセスバースト送信方法において、
所定の時間間隔から時刻をランダムに選択することによって、該時刻にランダムアクセスバーストを送信するステップと、
上記所定の時間間隔の長さを優先順位クラスに応じて設定するステップと、
上記ランダムアクセスバーストが正しく伝送されなかった回数を示す指数関数のパラメータを用いて、上記優先順位クラスに対応する上記所定の時間間隔の長さを変更するステップと、
上記変更された時間間隔の長さから次のランダムアクセスバーストを再送信する時刻をランダムに選択するステップとを有するランダムアクセスバースト送信方法。
【請求項８】
無線通信システムにおいて信号を送受信する送受信装置において、ランダムアクセスバーストを送信するランダムアクセスバースト送信方法において、
所定の時間間隔から時刻をランダムに選択することによって、該時刻にランダムアクセスバーストを送信するステップと、
上記所定の時間間隔の長さを優先順位クラスに応じて設定するステップと、
タイムウィンドウが、上記優先順位クラスと上記ランダムアクセスバーストが正しく伝送されなかった回数とに関する両方のパラメータの関数として指数関数的に増加するように、上記所定の時間間隔の長さを、該優先順位クラス及び該ランダムアクセスバーストが正しく伝送されなかった回数に応じて変更するステップと、
上記変更された時間間隔の長さから次のランダムアクセスバーストを再送信する時刻をランダムに選択するステップとを有するランダムアクセスバースト送信方法。
【請求項９】
上記所定の時間間隔の長さは、上記ランダムアクセスバーストが正しく伝送されなかった回数が増えるにつれて長くなることを特徴とする請求項１乃至８いずれか１項記載のランダムアクセスバースト送信方法。
【請求項１０】
上記所定の時間間隔の長さは、上記ランダムアクセスバーストが正しく伝送されなかった回数によって指数関数的に決定されることを特徴とする請求項１乃至９いずれか１項記載のランダムアクセスバースト送信方法。
【請求項１１】
上記ランダムアクセスバーストを再送信する時刻は、所定のオフセット時間経過後にランダムに選択されることを特徴とする請求項１乃至１０いずれか１項記載のランダムアクセスバースト送信方法。
【請求項１２】
上記ランダムアクセスバーストを再送信する時刻は、上記ランダムアクセスバーストが正しく伝送されなかった回数が所定の最大回数より小さいと判定されたときのみ選択されることを特徴とする請求項１乃至１１いずれか１項記載のランダムアクセスバースト送信方法。
【請求項１３】
無線通信システムにおいて信号を送受信する送受信装置において、ランダムアクセスバーストを送信するランダムアクセスバースト送信装置において、
ランダムアクセスバーストを送信する手段と、
上記ランダムアクセスバーストが正しく伝送されたことを確認する肯定応答情報が受信されたか否かを判定する手段と、
上記肯定応答情報が受信されなかったとき、所定の時間間隔から上記ランダムアクセスバーストを再送信する時刻をランダムに選択する手段と、
上記ランダムアクセスバーストが正しく伝送されなかった回数を示す第１のパラメータと、該ランダムアクセスバーストに定められた異なる優先順位クラスを示す第２のパラメータを含む少なくとも２つのパラメータに応じて上記所定の時間間隔の長さを設定する手段とを備え、
上記第２のパラメータは、上記優先順位クラスが高いほど上記所定の時間間隔が短くなるように選択されることを特徴とするランダムアクセスバースト送信装置。
【請求項１４】
無線通信システムにおいて信号を送受信する送受信装置において、ランダムアクセスバーストを送信するランダムアクセスバースト送信装置において、
ランダムアクセスバーストを送信する手段と、
上記ランダムアクセスバーストが正しく伝送されたことを確認する肯定応答情報が受信されたか否かを判定する手段と、
上記肯定応答情報が受信されなかったとき、所定の時間間隔から上記ランダムアクセスバーストを再送信する時刻をランダムに選択する手段と、
上記ランダムアクセスバーストが正しく伝送されなかった回数及び該ランダムアクセスバーストにそれぞれ予め設定された異なる優先順位クラスに応じて上記所定の時間間隔の長さを設定する手段とを備え、
上記所定の時間間隔は、上記優先順位クラスが高いほど短いことを特徴とするランダムアクセスバースト送信装置。
【請求項１５】
無線通信システムにおいて信号を送受信する送受信装置において、ランダムアクセスバーストを送信するランダムアクセスバースト送信装置において、
ランダムアクセスバーストを送信する手段と、
上記ランダムアクセスバーストが正しく伝送されたことを確認する肯定応答情報が受信されたか否かを判定する手段と、
上記肯定応答情報が受信されなかったとき、所定の時間間隔から上記ランダムアクセスバーストを再送信する時刻をランダムに選択する手段と、
上記ランダムアクセスバーストが正しく伝送されなかった回数及び該ランダムアクセスバーストにそれぞれ予め設定された異なる優先順位クラスに応じて上記所定の時間間隔の長さを設定する手段とを備え、
上記優先順位クラスは、システムパラメータに基づいて変化し、上記所定の時間間隔は、上記優先順位クラスが高いほど短いことを特徴とするランダムアクセスバースト送信装置。
【請求項１６】
無線通信システムにおいて信号を送受信する送受信装置において、ランダムアクセスバーストを送信するランダムアクセスバースト送信装置において、
ランダムアクセスバーストを送信する手段と、
上記ランダムアクセスバーストが正しく伝送されたことを確認する肯定応答情報が受信されたか否かを判定する手段と、
上記ランダムアクセスバーストを送信する時間間隔の長さを、優先順位クラスに応じて設定する手段と、
上記優先順位クラスに応じて設定された時間間隔の長さを、上記ランダムアクセスバーストが正しく伝送されなかった回数に応じて変更する手段と、
上記変更された時間間隔の長さから次のランダムアクセスバーストを再送信する時刻をランダムに選択する手段とを備えるランダムアクセスバースト送信装置。
【請求項１７】
無線通信システムにおいて信号を送受信する送受信装置において、ランダムアクセスバーストを送信するランダムアクセスバースト送信装置において、
所定の時間間隔からランダムに選択された時刻に、上記ランダムアクセスバーストを基地局に送信する手段と、
上記所定の時間間隔の長さを、優先順位クラス及び上記ランダムアクセスバーストが正しく伝送されなかった回数に関する２つの係数に基づいて変更する手段と、
上記変更された時間間隔の長さから次のランダムアクセスバーストを再送信する時刻をランダムに選択する手段とを備えるランダムアクセスバースト送信装置。
【請求項１８】
無線通信システムにおいて信号を送受信する送受信装置において、ランダムアクセスバーストを送信するランダムアクセスバースト送信装置において、
所定の時間間隔から時刻をランダムに選択することによって、該時刻にランダムアクセスバーストを送信する手段と、
上記ランダムアクセスバーストが正しく伝送されたか否かを判定する手段と、
上記ランダムアクセスバーストが正しく伝送されなかった回数に応じて変化する優先順位クラスを示すパラメータを含む、上記所定の時間間隔の長さを決定する式を用いて、該所定の時間間隔の長さを制御する手段と、
上記決定された所定の時間間隔の長さから次のランダムアクセスバーストを再送信する時刻をランダムに選択する手段とを備えるランダムアクセスバースト送信装置。
【請求項１９】
無線通信システムにおいて信号を送受信する送受信装置において、ランダムアクセスバーストを送信するランダムアクセスバースト送信装置において、
所定の時間間隔から時刻をランダムに選択することによって、該時刻にランダムアクセスバーストを送信する手段と、
上記所定の時間間隔の長さを優先順位クラスに応じて設定する手段と、
上記ランダムアクセスバーストが正しく伝送されなかった回数を示す指数関数のパラメータを用いて、上記優先順位クラスに対応する上記所定の時間間隔の長さを変更する手段と、
上記変更された時間間隔の長さから次のランダムアクセスバーストを再送信する時刻をランダムに選択する手段とを備えるランダムアクセスバースト送信装置。
【請求項２０】
無線通信システムにおいて信号を送受信する送受信装置において、ランダムアクセスバーストを送信するランダムアクセスバースト送信装置において、
所定の時間間隔から時刻をランダムに選択することによって、該時刻にランダムアクセスバーストを送信する手段と、
上記所定の時間間隔の長さを優先順位クラスに応じて設定する手段と、
タイムウィンドウが、上記優先順位クラスと上記ランダムアクセスバーストが正しく伝送されなかった回数とに関する両方のパラメータの関数として指数関数的に増加するように、上記所定の時間間隔の長さを、該優先順位クラス及び該ランダムアクセスバーストが正しく伝送されなかった回数に応じて変更する手段と、
上記変更された時間間隔の長さから次のランダムアクセスバーストを再送信する時刻をランダムに選択する手段とを備えるランダムアクセスバースト送信装置。
【請求項２１】
上記所定の時間間隔の長さは、上記ランダムアクセスバーストが正しく伝送されなかった回数が増えるにつれて長くなることを特徴とする請求項１３乃至２０いずれか１項記載のランダムアクセスバースト送信装置。
【請求項２２】
上記所定の時間間隔の長さは、上記ランダムアクセスバーストが正しく伝送されなかった回数によって指数関数的に決定されることを特徴とする請求項１３乃至２１いずれか１項記載のランダムアクセスバースト送信装置。
【請求項２３】
上記ランダムアクセスバーストを再送信する時刻は、所定のオフセット時間経過後にランダムに選択されることを特徴とする請求項１３乃至２２いずれか１項記載のランダムアクセスバースト送信装置。
【請求項２４】
上記ランダムアクセスバーストを再送信する時刻は、上記ランダムアクセスバーストが正しく伝送されなかった回数が所定の最大回数より小さいと判定されたときのみ選択されることを特徴とする請求項１３至２３いずれか１項記載のランダムアクセスバースト送信装置。
【発明の詳細な説明】
【技術分野】
【０００１】
本発明は、無線通信システムにおいて、ランダムアクセスバーストを送信するランダムアクセスバースト送信方法及び装置に関する。
【背景技術】
【０００２】
例えば、移動通信グローバル方式（Global System for Mobile Communications：以下、ＧＳＭシステムという。）のような無線通信システムにおいて、移動局は、ネットワークから所望のサービスを得るために、ランダムアクセスチャンネル（Random Access Channel：以下、ＲＡＣＨという。）を用いてランダムアクセスバースト（random access burst）を送信する。移動セルラシステム（mobile cellular system）の移動局がユーザデータを送信するためのデータチャンネル、すなわちユーザデータチャンネルを必要とするとき、移動局は、ランダムアクセスチャンネルを介してランダムアクセスバーストを、選択された基地局に送信する。ランダムアクセスバーストを受信した基地局は、ランダムアクセスバーストが移動局から基地局に正しく伝送されたことを確認する肯定応答メッセージ（acknowledgement message）、すなわち確認メッセージ（confirmation message）を移動局に送信する。基地局から送信される肯定応答情報は、アクセス許可情報でもあり、移動局の要求するサービスの提供の許可を通知するものである。ランダムアクセスバーストが移動局から基地局に正しく伝送されると、基地局は、移動局の要求する各サービス、例えばユーザデータチャンネルを移動局に割り当てる。
【０００３】
移動局から基地局へのランダムアクセスバーストの伝送は競合（contention）に基づいて行われるので、ランダムアクセスバーストが衝突（collision）することがある。例えば、無線通信システムの１つのセル内の複数の移動局が同時にランダムアクセスバーストを送信した場合、ランダムアクセスバーストが衝突し、基地局によって正しく受信されず、確認されないことがある。ランダムアクセスバーストを基地局に送信した後、移動局は、基地局からの肯定応答情報が受信されたか否かを判定する。所定の時間経過しても肯定応答情報が受信されてない場合、移動局は、ランダムアクセスバーストが基地局で正しく受信されなかった、すなわち正しく伝送されなかったと判定する。このように、ランダムアクセスバーストランダムを送信した（attempt）にもかかわらず、ランダムアクセスバーストが正しく伝送されなかった後に、新たなランダムアクセスバーストを何時送信するかを決定するバックオフ機構（backoff mechanism）が働く。このことは、最初のランダムアクセスバーストの伝送のときだけでなく、２回目以降のランダムアクセスバーストの再送信のときについても同様である。
【０００４】
従来、様々なバックオフ機構が提案されている。例えば、所謂ベイズ（bayesian）バックオフ機構（backoff mechanism）では、ネットワーク側、すなわち基地局は、ランダムアクセスバーストが衝突したとき、すなわちランダムアクセスバーストが正しく伝送されなかったとき、ランダムアクセスチャンネルが占有されているか否かを推定する。この推定によって生成された推定情報は各移動局に送信され、各移動局は、この推定情報によって、それらのバックオフ機構を設定できるようになっている。他のバックオフ機構としては、ユーザ側の装置で競合するランダムアクセスバーストの衝突を検出する機構がある。基地局は、推定情報を定期的に移動局に送信しなければならず、また、ランダムアクセスバーストの衝突を検出するために非常に複雑になっているので、このような周知のバックオフ機構では、ダウンリンクのために多くのリソース（resource）を必要とする。
【発明の開示】
【発明が解決しようとする課題】
【０００５】
無線通信システムにおいて、複数の移動局が同時に基地局にアクセスするときに起こるメッセージの衝突を低減させる装置及び方法が米国特許第5,544,196号に記載されている。その記載によれば、移動局は、肯定応答情報が所定の時間経過しても受信されない場合、ランダムに時間をおいて次のランダムアクセスバーストを送信する。このランダムな時間の遅れであるランダム遅延（random delay）は、所定の時間間隔の時刻（time point）をランダムに選択することによって設定される。すなわち、ランダムアクセスバーストを再送信するための新たな時刻が選択される時間間隔は、予め固定値に設定されている。この比較的簡単なバックオフ機構は、ＧＳＭシステムの中でも用いられている。特に、ランダムアクセスチャンネルが非常に占有され、ランダムアクセスバーストが頻繁に衝突するときは、ランダムアクセスバーストが正しく伝送される可能性が低いにもかかわらず、ランダムアクセスバーストの伝送が頻繁に行われるので、このバックオフ機構は、非常に非効果的である。
【０００６】
本発明は、上述した問題点に鑑みてなされたものであり、無線通信システムにおいて、ランダムアクセスバーストを送信するランダムアクセスバースト送信方法及び装置を提供する。
【課題を解決するための手段】
【０００７】
本発明に係るランダムアクセスバースト送信方法は、無線通信システムにおいて信号を送受信する送受信装置において、ランダムアクセスバーストを送信するランダムアクセスバースト送信方法において、ランダムアクセスバーストを送信するステップと、ランダムアクセスバーストが正しく伝送されたことを確認する肯定応答情報が受信されたか否かを判定するステップと、肯定応答情報が受信されなかったとき、所定の時間間隔からランダムアクセスバーストを再送信する時刻をランダムに選択するステップと、ランダムアクセスバーストが正しく伝送されなかった回数を示す第１のパラメータと、ランダムアクセスバーストに定められた異なる優先順位クラスを示す第２のパラメータを含む少なくとも２つのパラメータに応じて所定の時間間隔の長さを設定するステップとを有する。第２のパラメータは、優先順位クラスが高いほど所定の時間間隔が短くなるように選択される。
【０００８】
また、本発明に係るランダムアクセスバースト送信方法は、無線通信システムにおいて信号を送受信する送受信装置において、ランダムアクセスバーストを送信するランダムアクセスバースト送信方法において、ランダムアクセスバーストを送信するステップと、ランダムアクセスバーストが正しく伝送されたことを確認する肯定応答情報が受信されたか否かを判定するステップと、肯定応答情報が受信されなかったとき、所定の時間間隔からランダムアクセスバーストを再送信する時刻をランダムに選択するステップと、ランダムアクセスバーストが正しく伝送されなかった回数及びランダムアクセスバーストにそれぞれ予め設定された異なる優先順位クラスに応じて所定の時間間隔の長さを設定するステップとを有する。所定の時間間隔は、優先順位クラスが高いほど短い。
【０００９】
また、本発明に係るランダムアクセスバースト送信方法は、無線通信システムにおいて信号を送受信する送受信装置において、ランダムアクセスバーストを送信するランダムアクセスバースト送信方法において、ランダムアクセスバーストを送信するステップと、ランダムアクセスバーストが正しく伝送されたことを確認する肯定応答情報が受信されたか否かを判定するステップと、肯定応答情報が受信されなかったとき、所定の時間間隔からランダムアクセスバーストを再送信する時刻をランダムに選択するステップと、ランダムアクセスバーストが正しく伝送されなかった回数及びランダムアクセスバーストにそれぞれ予め設定された異なる優先順位クラスに応じて所定の時間間隔の長さを設定するステップとを有する。優先順位クラスは、システムパラメータに基づいて変化し、所定の時間間隔は、優先順位クラスが高いほど短い。
【００１０】
また、本発明に係るランダムアクセスバースト送信方法は、無線通信システムにおいて信号を送受信する送受信装置において、ランダムアクセスバーストを送信するランダムアクセスバースト送信方法において、ランダムアクセスバーストを送信するステップと、ランダムアクセスバーストが正しく伝送されたことを確認する肯定応答情報が受信されたか否かを判定するステップと、ランダムアクセスバーストを送信する時間間隔の長さを、優先順位クラスに応じて設定するステップと、優先順位クラスに応じて設定された時間間隔の長さを、ランダムアクセスバーストが正しく伝送されなかった回数に応じて変更するステップと、変更された時間間隔の長さから次のランダムアクセスバーストを再送信する時刻をランダムに選択するステップとを有する。
【００１１】
また、本発明に係るランダムアクセスバースト送信方法は、無線通信システムにおいて信号を送受信する送受信装置において、ランダムアクセスバーストを送信するランダムアクセスバースト送信方法において、所定の時間間隔からランダムに選択された時刻に、ランダムアクセスバーストを基地局に送信するステップと、所定の時間間隔の長さを、優先順位クラス及びランダムアクセスバーストが正しく伝送されなかった回数に関する２つの係数に基づいて変更するステップと、変更された時間間隔の長さから次のランダムアクセスバーストを再送信する時刻をランダムに選択するステップとを有する。
【００１２】
また、本発明に係るランダムアクセスバースト送信方法は、無線通信システムにおいて信号を送受信する送受信装置において、ランダムアクセスバーストを送信するランダムアクセスバースト送信方法において、所定の時間間隔から時刻をランダムに選択することによって、該時刻にランダムアクセスバーストを送信するステップと、ランダムアクセスバーストが正しく伝送されたか否かを判定するステップと、ランダムアクセスバーストが正しく伝送されなかった回数に応じて変化する優先順位クラスを示すパラメータを含む、所定の時間間隔の長さを決定する式を用いて、所定の時間間隔の長さを制御するステップと、決定された所定の時間間隔の長さから次のランダムアクセスバーストを再送信する時刻をランダムに選択するステップとを有する。
【００１３】
また、本発明に係るランダムアクセスバースト送信方法は、無線通信システムにおいて信号を送受信する送受信装置において、ランダムアクセスバーストを送信するランダムアクセスバースト送信方法において、所定の時間間隔から時刻をランダムに選択することによって、該時刻にランダムアクセスバーストを送信するステップと、所定の時間間隔の長さを優先順位クラスに応じて設定するステップと、ランダムアクセスバーストが正しく伝送されなかった回数を示す指数関数のパラメータを用いて、優先順位クラスに対応する所定の時間間隔の長さを変更するステップと、変更された時間間隔の長さから次のランダムアクセスバーストを再送信する時刻をランダムに選択するステップとを有する。
【００１４】
また、本発明に係るランダムアクセスバースト送信方法は、無線通信システムにおいて信号を送受信する送受信装置において、ランダムアクセスバーストを送信するランダムアクセスバースト送信方法において、所定の時間間隔から時刻をランダムに選択することによって、該時刻にランダムアクセスバーストを送信するステップと、所定の時間間隔の長さを優先順位クラスに応じて設定するステップと、タイムウィンドウが、優先順位クラスとランダムアクセスバーストが正しく伝送されなかった回数とに関する両方のパラメータの関数として指数関数的に増加するように、所定の時間間隔の長さを、優先順位クラス及びランダムアクセスバーストが正しく伝送されなかった回数に応じて変更するステップと、変更された時間間隔の長さから次のランダムアクセスバーストを再送信する時刻をランダムに選択するステップとを有する。
【００１５】
本発明に係るランダムアクセスバースト送信装置は、無線通信システムにおいて信号を送受信する送受信装置において、ランダムアクセスバーストを送信するランダムアクセスバースト送信装置において、ランダムアクセスバーストを送信する手段と、ランダムアクセスバーストが正しく伝送されたことを確認する肯定応答情報が受信されたか否かを判定する手段と、肯定応答情報が受信されなかったとき、所定の時間間隔からランダムアクセスバーストを再送信する時刻をランダムに選択する手段と、ランダムアクセスバーストが正しく伝送されなかった回数を示す第１のパラメータと、ランダムアクセスバーストに定められた異なる優先順位クラスを示す第２のパラメータを含む少なくとも２つのパラメータに応じて所定の時間間隔の長さを設定する手段とを備える。第２のパラメータは、優先順位クラスが高いほど所定の時間間隔が短くなるように選択される。
【００１６】
また、本発明に係るランダムアクセスバースト送信装置は、無線通信システムにおいて信号を送受信する送受信装置において、ランダムアクセスバーストを送信するランダムアクセスバースト送信装置において、ランダムアクセスバーストを送信する手段と、ランダムアクセスバーストが正しく伝送されたことを確認する肯定応答情報が受信されたか否かを判定する手段と、肯定応答情報が受信されなかったとき、所定の時間間隔からランダムアクセスバーストを再送信する時刻をランダムに選択する手段と、ランダムアクセスバーストが正しく伝送されなかった回数及びランダムアクセスバーストにそれぞれ予め設定された異なる優先順位クラスに応じて所定の時間間隔の長さを設定する手段とを備える。所定の時間間隔は、優先順位クラスが高いほど短い。
【００１７】
また、本発明に係るランダムアクセスバースト送信装置は、無線通信システムにおいて信号を送受信する送受信装置において、ランダムアクセスバーストを送信するランダムアクセスバースト送信装置において、ランダムアクセスバーストを送信する手段と、ランダムアクセスバーストが正しく伝送されたことを確認する肯定応答情報が受信されたか否かを判定する手段と、肯定応答情報が受信されなかったとき、所定の時間間隔からランダムアクセスバーストを再送信する時刻をランダムに選択する手段と、ランダムアクセスバーストが正しく伝送されなかった回数及びランダムアクセスバーストにそれぞれ予め設定された異なる優先順位クラスに応じて所定の時間間隔の長さを設定する手段とを備える。優先順位クラスは、システムパラメータに基づいて変化し、所定の時間間隔は、優先順位クラスが高いほど短い。
【００１８】
また、本発明に係るランダムアクセスバースト送信装置は、無線通信システムにおいて信号を送受信する送受信装置において、ランダムアクセスバーストを送信するランダムアクセスバースト送信装置において、ランダムアクセスバーストを送信する手段と、ランダムアクセスバーストが正しく伝送されたことを確認する肯定応答情報が受信されたか否かを判定する手段と、ランダムアクセスバーストを送信する時間間隔の長さを、優先順位クラスに応じて設定する手段と、優先順位クラスに応じて設定された時間間隔の長さを、ランダムアクセスバーストが正しく伝送されなかった回数に応じて変更する手段と、変更された時間間隔の長さから次のランダムアクセスバーストを再送信する時刻をランダムに選択する手段とを備える。
【００１９】
また、本発明に係るランダムアクセスバースト送信装置は、無線通信システムにおいて信号を送受信する送受信装置において、ランダムアクセスバーストを送信するランダムアクセスバースト送信装置において、所定の時間間隔からランダムに選択された時刻に、ランダムアクセスバーストを基地局に送信する手段と、所定の時間間隔の長さを、優先順位クラス及びランダムアクセスバーストが正しく伝送されなかった回数に関する２つの係数に基づいて変更する手段と、変更された時間間隔の長さから次のランダムアクセスバーストを再送信する時刻をランダムに選択する手段とを備える。
【００２０】
また、本発明に係るランダムアクセスバースト送信装置は、無線通信システムにおいて信号を送受信する送受信装置において、ランダムアクセスバーストを送信するランダムアクセスバースト送信装置において、所定の時間間隔から時刻をランダムに選択することによって、該時刻にランダムアクセスバーストを送信する手段と、ランダムアクセスバーストが正しく伝送されたか否かを判定する手段と、ランダムアクセスバーストが正しく伝送されなかった回数に応じて変化する優先順位クラスを示すパラメータを含む、所定の時間間隔の長さを決定する式を用いて、所定の時間間隔の長さを制御する手段と、決定された所定の時間間隔の長さから次のランダムアクセスバーストを再送信する時刻をランダムに選択する手段とを備える。
【００２１】
また、本発明に係るランダムアクセスバースト送信装置は、無線通信システムにおいて信号を送受信する送受信装置において、ランダムアクセスバーストを送信するランダムアクセスバースト送信装置において、所定の時間間隔から時刻をランダムに選択することによって、該時刻にランダムアクセスバーストを送信する手段と、所定の時間間隔の長さを優先順位クラスに応じて設定する手段と、ランダムアクセスバーストが正しく伝送されなかった回数を示す指数関数のパラメータを用いて、優先順位クラスに対応する所定の時間間隔の長さを変更する手段と、変更された時間間隔の長さから次のランダムアクセスバーストを再送信する時刻をランダムに選択する手段とを備える。
【００２２】
さらに、本発明に係るランダムアクセスバースト送信装置は、無線通信システムにおいて信号を送受信する送受信装置において、ランダムアクセスバーストを送信するランダムアクセスバースト送信装置において、所定の時間間隔から時刻をランダムに選択することによって、該時刻にランダムアクセスバーストを送信する手段と、所定の時間間隔の長さを優先順位クラスに応じて設定する手段と、タイムウィンドウが、優先順位クラスとランダムアクセスバーストが正しく伝送されなかった回数とに関する両方のパラメータの関数として指数関数的に増加するように、所定の時間間隔の長さを、優先順位クラス及びランダムアクセスバーストが正しく伝送されなかった回数に応じて変更する手段と、変更された時間間隔の長さから次のランダムアクセスバーストを再送信する時刻をランダムに選択する手段とを備える。
【発明の効果】
【００２３】
以上のような構成を有するランダムアクセスバースト送信方法及び装置では、ランダムアクセスバーストの伝送において効果的かつ安定した簡単な構成のバックオフ機構を提供することができる。特に、本発明に係るランダムアクセスバースト送信方法及び装置では、ネットワーク側は、ランダムアクセスバーストの衝突を検出又は予想する必要がなく、同時にバックオフ機構を現在のランダムアクセスチャンネルの環境に柔軟に適応させることができる。ランダムアクセスバーストが正しく伝送されなかった回数に応じて、ランダムアクセスバーストを再送信する時刻をランダムに選択する時間間隔の長さを設定することによって、ランダムアクセスバーストが正しく伝送されるまでの送信されない回数を減らすことができる。したがって、無線通信システムの性能及び安定度は向上する。同時に、ランダムアクセスチャンネル上で、ランダムアクセスバーストの高く効果的なスループットが達成される。本発明は、無線通信システムの移動局に適用されるが、他のシステムの端末装置にも適用することができる。
【００２４】
本発明では、ランダムアクセスバーストが正しく伝送されなかった回数が増加したとき時間間隔を長く設定することができる。ここで、ランダムアクセスバーストが競合して多くのランダムアクセスバーストが衝突するとき、ランダムアクセスバーストを再送信する時刻が遅らされ、ランダムアクセスバーストが正しく伝送される確率が著しく増える。ここで、時間間隔の長さは、ランダムアクセスバーストが正しく伝送されなかった回数によって指数関数的に決定される。
【００２５】
本発明では、所定のオフセット時間経過後にランダムアクセスバーストを再送信する時刻をランダムに選択することができる。ランダムアクセスバーストの伝送又は再送信の後に、選択された基地局からの肯定応答情報が所定のオフセット時間経過後に受信されたか否かが判定される。
【００２６】
さらに、ランダムアクセスバーストが正しく伝送されなかった回数が所定の最大回数より小さいと判定されたときのみランダムアクセスバーストを再送信する時刻を選択することができる。ランダムアクセスバーストを送信する最大回数を設定することによって、ランダムアクセスバーストが無限回数送信されることを避けることができる。本発明では、時間間隔の長さは、ランダムアクセスバーストが正しく伝送されなかった回数によって決定されるので、ランダムアクセスバーストの再送信の回数が最大回数になる可能性が減少される。
【００２７】
本発明では、ランダムアクセスバーストとともに伝送されたサービス要求のための異なる優先度を割り当てることができる。ここで、時間間隔の長さは、ランダムアクセスバーストの異なる優先順位クラスに応じて決定される。優先順位クラスが高いとき、時間間隔の長さを短く設定することができる。したがって、高い優先度のサービス要求に対するランダムアクセスバーストが送信されるまでには、平均して非常に短い時間ですみ、低い優先度のサービス要求に対するランダムアクセスバーストが送信されるまでには、平均して非常に長い時間がかかる。
【発明を実施するための最良の形態】
【００２８】
以下、本発明に係るランダムアクセスバースト送信装置及びランダムアクセスバースト送信方法を、図面を参照して詳細に説明する。
【００２９】
図１は、本発明を適用した無線通信システムの端末装置における送受信方法のフローチャートである。
【００３０】
ステップＳ１において、端末装置で生成されたランダムアクセスバーストの最初の送信が行われる。例えば、無線通信システムの移動局がユーザデータを伝送するためのチャンネルを必要とするとき、移動局は、サービス要求をランダムアクセスバーストの形式で選択された基地局に送信する。基地局は、移動局によって送信されたランダムアクセスバーストを正しく受信すると、肯定応答情報を生成し、この肯定応答情報を移動局に送り返す。この肯定応答情報は、例えばアクセス許可情報等である。ステップＳ２において、移動局は、肯定応答情報を正しく受信すると、ランダムアクセスバーストの最初の伝送が正しく行われたと判定する。この結果、ステップＳ３において、ランダムアクセスバーストの伝送は終了する。基地局は、肯定応答情報とともに又は肯定応答情報に挿入して、移動局の要求するサービスの割当て、例えばユーザデータを伝送するために用いるチャンネルに関する更なる情報を移動局に送信する。
【００３１】
ステップＳ１でランダムアクセスバーストの最初の送信を行った後、例えば、移動局は、上述したようにステップＳ２において、肯定応答情報が受信されたか否かを判定する。肯定応答情報が所定のオフセット時間（offset time）経過しても受信されない場合、判定はＮＯとなり、移動局は、ランダムアクセスバーストが基地局で正しく受信されなかったと判定する。肯定応答情報が所定のオフセット時間内に受信された場合、判定はＹＥＳとなり、移動局は、ランダムアクセスバーストが基地局で正しく受信されたと判定する。
【００３２】
ステップＳ２での判定がＮＯの場合、ステップＳ４において、ランダムアクセスバーストが基地局で正しく受信されなかった試行回数、すなわち正しく伝送されなかった回数が累積される。次に、ステップＳ５において、ランダムアクセスバーストが正しく伝送されなかった回数が所定の最大回数に達したか否かが判定される。ランダムアクセスバーストが正しく伝送されなかった回数の累積が所定の最大回数に達した場合、ステップＳ６において、ランダムアクセスバーストの伝送は終了する。ランダムアクセスバーストが正しく伝送されなかった回数の累積が所定の最大回数に達していない場合、ステップＳ７において、新たな時間間隔が設定される。次に、ステップＳ８において、次のランダムアクセスバーストを伝送する新たな時刻が選択される。ここで、ステップＳ７で設定される新たな時間間隔は、ランダムアクセスバーストが正しく伝送されなかった回数の累積に基づいて計算される。すなわち、新たな時間間隔は、ランダムアクセスバーストが正しく伝送されなかった回数の累積に関係したタイムスロット（time slot）数を計算することによって設定される。この新たな時間間隔は、一連の番号｛１、２、・・・、ＭＷ＋Ｓ×ＢＰＯ＋ＮＦ｝によって表される。ここで、各番号は、タイムスロット数を基本単位として表す。したがって、タイムスロットは、それぞれの無線通信システムの基本的なタイムスロットである。因子ＭＷは時間間隔の最小の長さ、因子Ｓは換算係数、因子Ｂは基本係数、因子ＰＯはパワーオフセット係数、因子ＮＦはランダムアクセスバーストが正しく伝送されなかった回数である。ここで、ランダムアクセスバーストが正しく伝送されなかった回数は、ステップＳ４で計算されたランダムアクセスバーストが正しく伝送されなかった回数の累積である。全ての因子は負ではない整数であり、因子ＮＦはランダムアクセスバーストの伝送毎に変化する。他の因子は、他のシステムパラメータに基づいて予め設定されているか又は他のパラメータに基づいて変化する。
【００３３】
次に、ステップＳ８において、次のランダムアクセスバーストの伝送、すなわち再送信のための新たな時刻がステップＳ７で設定された時間間隔からランダムに選択される。ここで、新たな時刻は、均一な確率分布に基づいてランダムに選択される。上述した式から理解できるように、ランダムアクセスバーストの伝送の間隔は、ランダムアクセスバーストが正しく伝送されなかった回数とともに増加していく。ランダムアクセスバーストの衝突によってランダムアクセスバーストが正しく伝送されない確率を著しく低減するために、ランダムアクセスバーストの伝送の間隔を、指数関数的に増加させる。したがって、新たな時刻がランダムに選択される時間間隔は急速に長くなり、システム全体の安定度は非常に増す。
【００３４】
時間間隔の最小の長さを決定する因子ＭＷは、ある最小の時間間隔を保証するために、例えば１０タイムスロットに設定される。因子Ｓ、Ｂ、ＰＯは、ランダムアクセスバーストの異なる優先順位クラスを定めるために用いられる。すなわち、これらの因子Ｓ、Ｂ、ＰＯは、優先順位クラスを高くするときには、時間間隔の長さを短くするように予め設定される。例えば、サービス要求に対して４つの異なる優先順位クラスがあり、これらに従って、ランダムアクセスバーストを送信するときには、因子Ｓ、Ｂ、ＰＯは、異なる優先順位クラスに対して異なる値を取る。ここでは、例えば、異なる優先順位クラスに対して因子（換算係数）Ｓのみを変更することで十分である。１番高い優先順位クラスに対して、因子は、Ｓ＝１、Ｂ＝２、ＰＯ＝０に設定される。２番目の優先順位クラスに対して、因子は、Ｓ＝４、Ｂ＝２、ＰＯ＝０に設定される。３番目の優先順位クラスに対して、因子は、Ｓ＝８、Ｂ＝２、ＰＯ＝０に設定される。４番目の優先順位クラスに対して、因子は、Ｓ＝１２、Ｂ＝２、ＰＯ＝０に設定される。ところで、シミュレーションした結果によれば、換算係数Ｓのみを変化させることで十分であり、その場合、計算を簡単にすることができる。
【００３５】
ステップＳ８以降において、ランダムアクセスバーストはランダムに選択された時刻で伝送される。すなわち、ステップＳ７で設定された時間間隔は、所定のオフセット時間の最後から始まるタイムスロット数で決定され、ステップＳ２において、肯定応答情報が受信されたか否かが判定される。このように、ランダムアクセスバーストの再送信のための絶対時刻（absolute timepoint）は、所定のオフセット時間にステップＳ８で選択された時刻を加えることによって得られる。上述したように、換算係数Ｓのみを異なる優先順位クラスに対して変更するようにしてもよい。因数（基本係数）Ｂ及び因数（パワーオフセット係数）ＰＯは変化しないが、これらの係数を変化させて、バックオフ機構がシステム状態を緩やか変化させるようにしてもよい。
【００３６】
図２は、本発明を適用した無線通信システムの端末装置における送受信装置の構成を示すブロック図である。例えば、移動セルラシステムの移動局１は、図１のフローチャートに示すステップＳを実行する。したがって、図２のブロック図には、本発明に関連する重要な構成要素のみを示している。無線通信システムの移動局１を動作させるのに必要な変調器、復調器、インターリーバ、マイクロフォン、スピーカ等の他の構成要素は、説明を簡単にするために、ここでは省略する。
【００３７】
無線通信システムの移動局１は、信号を送信及び受信するためのアンテナ２を備える。アンテナ２は、送信機３及び受信機４に接続されている。送信機３は、アップコンバータを有し、ベースバンドの信号を高周波数信号にアップコンバートし、アンテナ２を介して送信する。受信機４は、ダウンコンバータを有し、アンテナ２によって受信された高周波数信号をダウンコンバートして、ベースバンドの信号を再生する。受信機４は、判定器５に接続されている。送信機３は、ランダムアクセスバーストを生成するランダムアクセスバースト生成器７に接続されている。ランダムアクセスバースト生成器７及び判定器５は、中央演算処理装置からなるコントローラ６に接続されている。
【００３８】
移動局１からサービスを要求する信号を無線通信システムの他の基地局に送る必要があるとき、コントローラ６は、対応する信号をランダムアクセスバースト生成器７に供給し、必要なランダムアクセスバーストを生成する。次に、このランダムアクセスバーストは、送信機３によって送信される。判定器５は、対応する肯定応答情報が受信機４によって所定のオフセット時間内に受信されたか否かを判定する。すなわち、コントローラ６は、判定器５が、タイミング発生器によって得られる実際の時間とランダムアクセスバーストの伝送時刻から開始する所定のオフセット時間とを比較することができるように、送信機３がランダムアクセスバーストを送信した時刻を判定器５に通知する。肯定応答情報が受信機４によって所定のオフセット時間内に受信されたとき、ランダムアクセスバーストを再送信する必要はない。所定のオフセット時間経過しても肯定応答情報が受信されない場合、コントローラ６は、所定の時間間隔からランダムアクセスバーストを再送信するための時刻をランダムに選択する。そして、所定の時間間隔は、ランダムアクセスバーストが正しく伝送されなかった回数に応じて設定される。コントローラ６は、図１のステップＳ７及びステップＳ８で示したように、次のランダムアクセスバーストの伝送の時刻を設定する。
【００３９】
以上詳細に説明したように、本発明によれば、無線通信システムにおいて信号を送受信する送受信装置において、従来に比べて高性能で、安定してランダムアクセスバーストを伝送するバックオフ機構を提供することができる。特に、スループットは、高い負荷、例えば混雑した領域でさえ、まだ相当に高い。さらに、ダウンリンクチャンネル上でバックオフ固有のリソースは要求されず、ネットワーク側で衝突を検出する必要はない。
【図面の簡単な説明】
【００４０】
【図１】本発明を適用したバックオフ機構を説明するためのフローチャートである。
【図２】本発明を適用したバックオフ機構を組み込んだ無線通信システムの端末装置のブロック図である。
【符号の説明】
【００４１】
１  移動局、２  アンテナ、３  送信機、４  受信機、５  判定器、６  コントローラ、７  ランダムアクセスバースト生成器
【図１】
2008148362.tif 000003
【図２】
2008148362.tif 000004